(57)【要約】インタリーバ（ＥＲ）は、長周期時間インタリーブ無線通信ネットワーク内における、周期的フレーム内にグループ化される選択された数のサービスを表すインタリーブ単位のインタリーブに専用される。前記インタリーバ（ＥＲ）は、各フレームをそれぞれの持続時間が一定の選択された数のサービスのグループに分解し、その後、各グループのインタリーブ単位をそれぞれの持続時間が一定でフレームの期間に等しい周期に従って時間インタリーブ期間内に隔置される、いわゆる拡散時間間隔内に分散させる役割を担う処理手段（ＭＴ１）を備える。
2011501598.tif 000002
【特許請求の範囲】
【請求項１】
長時間周期時間インタリーブ（ＰＥ）を利用する無線通信ネットワークのための、周期的フレーム（ＰＴ）内にグループ化される選択された数のサービスを表すインタリーブ単位のインタリーバ（ＥＲ）であって、各フレームを、それぞれの持続時間（ＤＧｉ）が一定の選択された数のサービスのグループ（Ｇｉ）に分解し、その後、各グループ（Ｇｉ）の前記インタリーブ単位を、それぞれの持続時間（ＤＩｉ）が一定で前記フレームの前記期間（ＰＴ）に等しい周期（ＰＩ）に従って時間インタリーブ期間（ＰＥ）内に隔置される、拡散時間間隔と呼ばれる時間間隔（ＩＴｉ）内に分散させるように適合される処理手段（ＭＴ１）を備えたことを特徴とするインタリーバ（ＥＲ）。
【請求項２】
請求項１記載のインタリーバ（ＥＲ）であって、前記処理手段（ＭＴ１）が、各グループ（Ｇｉ）の前記インタリーブ単位を、それぞれの持続時間（ＤＩｉ）が一定で前記フレーム期間（ＰＴ）と比較して短い、拡散時間間隔（ＩＴｉ）内に分散させるように適合されることを特徴とするインタリーバ（ＥＲ）。
【請求項３】
長時間周期時間インタリーブ（ＰＥ）を利用する無線通信ネットワークのための、請求項１又は２のいずれか１項に記載のインタリーバ（ＥＲ）を用いてインタリーブを施されたインタリーブ単位によって表されるサービスを選択するためのデバイス（ＤＳ；ＤＳ’）であって、前記インタリーバ（ＥＲ）に対して同期がとられた処理手段（ＭＴ２；ＭＴ２’）であって、処理されるサービスのグループ（Ｇｉ）を選択した場合に、時間インタリーブ期間（ＰＥ）内に含まれる前記選択グループ（Ｇｉ）の拡散時間間隔（ＩＴｉ）内に含まれるインタリーブを施された全てのインタリーブ単位を収集するために、少なくとも前記選択グループ（Ｇｉ）の各拡散時間間隔（ＩＴｉ）の持続時間（ＤＩｉ）の間、従ってフレーム（ＴＥ）の期間（ＰＴ）に等しい周期に従って、周期的に動作を起動するように適合される処理手段（ＭＴ２；ＭＴ２’）を備えることを特徴とするデバイス（ＤＳ；ＤＳ’）。
【請求項４】
請求項３記載のデバイスであって、インタリーブを施されたインタリーブ単位を保存するのに適したメモリ手段（ＭＹ）を備え、前記処理手段（ＭＴ２）が、前記メモリ手段（ＭＹ）内に、各時間インタリーブ期間（ＰＥ）の間、進行中の前記時間インタリーブ期間（ＰＥ）内に含まれる前記選択グループ（Ｇｉ）の前記拡散時間間隔（ＩＴｉ）内に含まれる前記インタリーブを施された全てのインタリーブ単位を保存するように適合されることを特徴とするデバイス。
【請求項５】
請求項３記載のデバイスであって、収集された前記インタリーブを施されたインタリーブ単位の中から、前記選択グループ（Ｇｉ）の前記サービスを表すインタリーブ単位を保持するように適合されるフィルタリング手段（ＭＦ’）を備えることを特徴とするデバイス。
【請求項６】
請求項５記載のデバイスであって、インタリーブを施されたインタリーブ単位を保存するのに適したメモリ手段（ＭＹ’）を備え、前記フィルタリング手段（ＭＦ’）が、前記メモリ手段（ＭＹ’）内に、各時間インタリーブ期間（ＰＥ）の間、進行中の前記時間インタリーブ期間（ＰＥ）内に含まれる前記選択グループ（Ｇｉ）の前記拡散時間間隔（ＩＴｉ）内の保持された前記インタリーブを施されたインタリーブ単位を保存するように適合されることを特徴とするデバイス。
【請求項７】
長時間周期時間インタリーブ（ＰＥ）を利用する無線通信ネットワークのための、周期的フレーム（ＰＴ）内にグループ化される選択された数のサービスを表すインタリーブ単位のインタリーブのための方法であって、各フレームを、それぞれの持続時間（ＤＧｉ）が一定の、選択された数のサービスのグループ（Ｇｉ）に分解するステップ、及びその後、各グループ（Ｇｉ）の前記インタリーブ単位を、それぞれの持続時間（ＤＩｉ）が一定で、前記フレームの前記期間（ＰＴ）に等しい周期（ＰＩ）に従って時間インタリーブ期間（ＰＥ）内に隔置される、いわゆる拡散時間間隔（ＩＴｉ）内に分散させるステップからなることを特徴とする方法。
【請求項８】
長時間周期時間インタリーブ（ＰＥ）を利用する無線通信ネットワークのための、請求項７に従ってインタリーブを施されたインタリーブ単位をデインタリーブするための方法であって、前記インタリーブに対してデインタリーブを同期させるステップ、及びデインタリーブされるサービスのグループ（Ｇｉ）を選択した場合に、デインタリーブの目的で、時間インタリーブ期間（ＰＥ）に対応する期間内に含まれる前記選択グループ（Ｇｉ）の拡散時間間隔（ＩＴｉ）内に含まれるインタリーブを施された全てのインタリーブ単位を収集するために、少なくとも前記選択グループ（Ｇｉ）の各拡散時間間隔（ＩＴｉ）の持続時間（ＤＩｉ）の間、従ってフレームの期間（ＰＴ）に等しい周期に従って、周期的に動作するステップからなることを特徴とする方法。
【請求項９】
請求項８に記載の方法であって、各時間インタリーブ期間（ＰＥ）の間、進行中の前記時間インタリーブ期間（ＰＥ）内に含まれる前記選択グループ（Ｇｉ）の前記拡散時間間隔（ＩＴｉ）内に含まれるインタリーブを施された全てのインタリーブ単位を保存するステップであって、進行中の前記時間インタリーブ期間（ＰＥ）の最後に、前記保存されたインタリーブを施されたインタリーブ単位がデインタリーブされ、その後、フィルタリングされる、ステップを備えることを特徴とする方法。
【請求項１０】
請求項８に記載の方法であって、収集された前記インタリーブを施されたインタリーブ単位の中から、前記選択グループ（Ｇｉ）の前記サービスを表すインタリーブ単位が保持されることを特徴とする方法。
【請求項１１】
請求項１０に記載の方法であって、時間インタリーブ期間（ＰＥ）に対応する各期間において、時間インタリーブ期間（ＰＥ）に対応する進行中の前記期間内に含まれる前記選択グループ（Ｇｉ）の前記拡散時間間隔（ＩＴｉ）内の保持された前記インタリーブを施されたインタリーブ単位を保存するステップであって、時間インタリーブ期間（ＰＥ）に対応する進行中の前記期間の最後に、前記保存されたインタリーブを施されたインタリーブ単位がフィルタリングされ、その後、デインタリーブされる、ステップを備えることを特徴とする方法。
【請求項１２】
プロセッサに関連付けられたメモリにロードできるコンピュータプログラムであって、前記プロセッサによって実行されたときに請求項７乃至１１のいずれか１項に記載の方法を実施する命令を備えるコンピュータプログラム。
【請求項１３】
請求項１２に記載のプログラムが保存されるデータ記憶媒体。
【発明の詳細な説明】
【技術分野】
【０００１】
本発明は、物理層のレベルにおいて長周期時間インタリーブ（ｌｏｎｇ  ｐｅｒｉｏｄ  ｔｉｍｅ  ｉｎｔｅｒｌｅａｖｉｎｇ）を実施する無線通信ネットワークを介したマルチメディアタイプコンテンツの送信に関し、より詳細には、送信されるマルチメディアコンテンツデータパケットに基づいて定義されるインタリーブ単位（ｉｎｔｅｒｌｅａｖｉｎｇ  ｕｎｉｔ）（又はＩＵ、特にＤＶＢ−ＳＨ及びＳＤＲタイプネットワークにおいて）と呼ばれることもある単位の、そのようなネットワーク内での時間インタリーブ及びデインタリーブに関する。
【背景技術】
【０００２】
本明細書で使用される「マルチメディアコンテンツ」という用語は、例えば、テレビ若しくはラジオ番組、データ、又はビデオファイルなどの同一タイプのデータの組を指す。
【０００３】
さらに、本明細書で使用される「無線通信ネットワーク」という用語は、マルチメディアコンテンツをブロードキャストする目的で、物理層のレベルにおいて長周期時間インタリーブを実施する、任意の種類の衛星及び／又は地上無線ネットワークを意味する。これは、例えば、ＳＤＲ（「衛星デジタル無線（Ｓａｔｅｌｌｉｔｅ  Ｄｉｇｉｔａｌ  Ｒａｄｉｏ）」）ネットワーク、又はハイブリッドＤＶＢ−ＳＨタイプネットワーク（ＤＶＢ−Ｈ（「デジタルビデオブロードキャスティング−ハンドヘルド（Ｄｉｇｉｔａｌ  Ｖｉｄｅｏ  Ｂｒｏａｄｃａｓｔｉｎｇ  −  Ｈａｎｄｈｅｌｄｓ）」）無線ネットワークの一タイプであるが、Ｓバンド衛星リンク（約２．２０ＧＨｚ）に適合されている）−衛星中継及び地上中継を介したモバイルテレビとすることができる。一般的に言って、本発明は、深刻な信号フェージングを被る可能性の高い任意のネットワークに関する。
【０００４】
当業者に知られているように、何らかの無線（又は電波）信号が伝搬するとき、それらは、マルチパス干渉、減衰、及び一時妨害（ｔｒａｎｓｉｅｎｔ  ｉｎｔｅｒｃｅｐｔｉｏｎ）を被り得る。信号が衛星チャネル内を伝播するとき、こうしたことが頻発する。干渉、減衰、及び妨害の影響を制限するために、送信側で、物理層のレベルにおける、即ち送信されるコンテンツデータパケットのレベルにおける時間周期インタリーブ技法を実施することが可能である。これは特に、ＤＶＢ−ＳＨタイプネットワークにおいて行われていることである。
【０００５】
本発明が関係するネットワークでは、物理層のレベルにおける時間インタリーブの長さ（又は時定数）は、サービス層で使用される時定数と比較して（非常に）大きい。それは最大で１０秒に達し得る。
【０００６】
ここで再確認しておくと、サービス層によって配信されるＴＤＭＡ（時分割多元接続（Ｔｉｍｅ  Ｄｉｖｉｓｉｏｎ  Ｍｕｌｔｉｐｌｅ  Ａｃｃｅｓｓ）−時分割多重化）フレームは、それぞれサービスに関連する、ＭＰＥＧタイプパケットの事前定義された数（例えば９）のバーストからなる。これらのパケットは、ＦＥＣ（前方誤り訂正（Ｆｏｒｗａｒｄ  Ｅｒｒｏｒ  Ｃｏｒｒｅｃｔｉｏｎ））タイプの誤り訂正技法と、追加的に（おそらくは）ＭＰＥ−ＦＥＣ（マルチプロトコルカプセル化（Ｍｕｌｔｉ−Ｐｒｏｔｏｃｏｌ  Ｅｎｃａｐｓｕｌａｔｉｏｎ）−ＦＥＣ）を使用して符号化され、符号語を生成する。その後、符号語からなる各バーストがインタリーブ単位（ＩＵ）に分解される。その後、フレーム内の異なるバーストのインタリーブ単位が、インタリーバによって、時間インタリーブ期間によって占められる時間周期間隔の全域にわたって分散（又は拡散）される。インタリーブ単位は、インタリーバによって処理される、（コンテンツパケットから生じた）ビットからなる最小の組である。
【０００７】
従って、受信機端末において、インタリーブを施されたフレームの全てのバーストを再構成することが望まれる場合、現在は、時間インタリーブ期間内に含まれる全てのインタリーブ単位を外部メモリ内に保存することが必要であり、これは大量のメモリを必要とし得る。限定することなく例を挙げると、１６ＱＡＭ（又はそれぞれＱＰＳＫ）変調及び８秒の時間インタリーブ期間を使用するタイプＤＶＢ−ＳＨネットワークの場合、受信機端末は、時間インタリーブインスタンス内に含まれるデータを保存するために、約２５６Ｍｂ（メガビット）（それぞれ１２８Ｍｂ）の外部メモリを提供しなければならない。このように大容量メモリを必要とすることは、コスト及び複雑さをより低く抑えた受信機端末を製造するうえで著しい制約となる。
【０００８】
もちろん、物理層よりも高レベルに配置された層において時間インタリーブを実施することは可能である。そのような高レベル層は、実際のところ、データビットの非定量化（ｎｏｎ−ｑｕａｎｔｉｆｉｃａｔｉｏｎ）、及び物理層のレベルにおいて得られるのと同様の長さの時間インタリーブを可能にするより低い符号化率（ｃｏｄｉｎｇ  ｒａｔｅ）といった利点を享受しながら、ごく僅かなメモリ容量（一般に１０分の１）しか必要としない。しかし、時間インタリーブステップの前に適用されるＦＥＣ誤り訂正技法と、追加的に適用される（おそらくは）ＭＰＥ−ＦＥＣは、スペクトル効率が同じ場合、物理層のレベルにおいて適用されたときの方がはるかに効果的である。さらに、物理層の上に配置されるＭＰＥ−ＦＥＣ層のレベルにおけるインタリーブは、前記物理層のインタリーブよりもはるかに非効率的であり、ＭＰＥ−ＦＥＣ層のシグナリングは物理層のインタリーブ時間周期のため、もはや使用可能ではない。
【発明の概要】
【発明が解決しようとする課題】
【０００９】
従って、本発明の目的はこの状況を改善することである。
【課題を解決するための手段】
【００１０】
この目的のため、本発明は、長周期時間インタリーブを利用する無線通信ネットワークのための、（周期的フレーム内にグループ化される選択された数のサービスを表す）インタリーブ単位のインタリーバを提案する。
【００１１】
そのようなインタリーバは、各フレームを、それぞれの持続時間が一定の、選択された数のサービスのグループに分解し、その後、各グループのインタリーブ単位を、それぞれの持続時間が一定で、フレームの期間に等しい周期に従って時間インタリーブ期間内に隔置される、拡散時間間隔（ｓｐｒｅａｄｉｎｇ  ｔｉｍｅ  ｉｎｔｅｒｖａｌ）と呼ばれる時間間隔内に分散させる役割を担う処理手段を備えるという事実によって特徴付けられる。
【００１２】
好ましくは、処理手段は各グループのインタリーブ単位を、それぞれの持続時間が一定で、フレームの期間と比較して小さい拡散時間間隔内に分散させる役割を担う。
【００１３】
本発明は、長周期時間インタリーブを利用する無線通信ネットワークのための、上で説明されたタイプのインタリーバを用いてインタリーブを施されたインタリーブ単位によって表されるサービスを選択するためのデバイスも提案する。
【００１４】
このデバイスは、インタリーバに対して同期がとられた処理手段であって、処理されるサービスのグループを選択した場合に、時間インタリーブ期間内に含まれる選択グループの拡散時間間隔内に含まれるインタリーブを施された全てのインタリーブ単位を収集するために、少なくとも選択グループの各拡散時間間隔の持続時間の間、従ってフレームの期間に等しい周期に従って、周期的に起動する役割を担う処理手段を備えるという事実によって特徴付けられる。
【００１５】
本発明のデバイスは、個別に又は組み合わせて利用できる他の特徴も備えることができ、特に、
−デバイスはインタリーブを施されたインタリーブ単位を保存するメモリ手段を備えることができる。この場合、デバイスの処理手段は、メモリ手段内に、各時間インタリーブ期間の間、進行中の時間インタリーブ期間内に含まれる選択グループの拡散時間間隔内に含まれるインタリーブを施された全てのインタリーブ単位を保存する役割を担うことができ、
−変形として、デバイスは、収集されたインタリーブを施されたインタリーブ単位の中から、選択グループのサービスを表すインタリーブ単位を保持する役割を担うフィルタリング手段を備えることができ、
＞デバイスはインタリーブ単位を保存するメモリ手段を備えることができる。この場合、デバイスのフィルタリング手段は、メモリ手段内に、各時間インタリーブ期間の間、進行中の時間インタリーブ期間内に含まれる選択グループの拡散時間間隔内において選択されたインタリーブを施されたインタリーブ単位を保存する役割を担うことができる。
【００１６】
本発明は、長周期時間インタリーブを利用する無線通信ネットワークのための、インタリーブ単位をインタリーブするための方法も提案する。
【００１７】
前記インタリーブ方法は、各フレームをそれぞれの持続時間が一定の選択された数のサービスのグループに分解するステップ、及びその後、各グループのインタリーブ単位をそれぞれの持続時間が一定でフレームの期間に等しい周期に従って時間インタリーブ期間内に隔置される、拡散時間間隔と呼ばれる時間間隔内に分散させるステップからなるという事実によって特徴付けられる。
【００１８】
本発明は、長周期時間インタリーブを利用する無線通信ネットワークのための上で説明された方法に従ってインタリーブを施されたインタリーブ単位をデインタリーブするための方法も提案する。
【００１９】
前記デインタリーブ方法は、インタリーブに対してデインタリーブを同期させるステップ、及びデインタリーブされるサービスのグループを選択した場合に、デインタリーブの目的で、時間インタリーブ期間に一致する期間内に含まれる選択グループの拡散時間間隔内に含まれるインタリーブを施された全てのインタリーブ単位を収集するために、少なくとも選択グループの各拡散時間間隔の持続時間の間、従ってフレームの期間に等しい周期に従って、周期的に動作するステップからなるという事実によって特徴付けられる。
【００２０】
本発明による前記デインタリーブ方法は、個別に又は組み合わせて利用できる他の特徴も備えることができ、特に、
−時間インタリーブ期間に対応する各期間において、進行中の時間インタリーブ期間内に含まれる選択グループの拡散時間間隔内に含まれるインタリーブを施された全てのインタリーブ単位を保存することが可能であり、進行中の前記時間インタリーブ期間の最後に、保存されたインタリーブを施されたインタリーブ単位がデインタリーブされ、その後、フィルタリングされ、
−変形として、収集されたインタリーブを施されたインタリーブ単位の中から選択グループのサービスを表すインタリーブ単位を保持することが可能であり、
−時間インタリーブ期間に対応する各期間において、時間インタリーブ期間に対応する進行中の時間期間内に含まれる選択グループの拡散時間間隔内の選択されたインタリーブを施されたインタリーブ単位を保存することが可能であり、（時間インタリーブ期間に対応する）進行中の前記時間期間の最後に、保存されたインタリーブを施されたインタリーブ単位がフィルタリングされ、その後デインタリーブされる。
【００２１】
最後に、本発明は、プロセッサに関連付けられたメモリにロードできるコンピュータプログラムであって、プロセッサによって実行されたときに上で定義された方法を実施する命令を備えるコンピュータプログラム、及び前記プログラムが保存されるデータ記憶媒体も提案する。
【００２２】
本発明の他の特徴及び利点は以下の詳細な説明及び添付の図面を検討することで明らかになろう。
【図面の簡単な説明】
【００２３】
【図１】本発明によるインタリーバの例示的な一実施形態、及び本発明によるサービス選択デバイスの第１の実施形態を含む第１のマルチメディアコンテンツ受信機端末を備えるマルチメディアコンテンツ送信チェーンを高度に概略的かつ機能的な方式で示す図である。
【図２】本発明によるインタリーバの一実施形態、及び本発明によるサービス選択デバイスの第２の実施形態を含む第２のマルチメディアコンテンツ受信機端末を備えるマルチメディアコンテンツ送信チェーンを高度に概略的かつ機能的な方式で示す図である。
【図３】時間（ｔ）における、連続的バーストからなる２つのフレームの、それぞれ２つ、３つ、及び４つのサービスを備える３つのサービスのグループへの分解を高度に概略的な方式で示す図である。
【図４】第１に、（９つの連続的バーストからなる）フレームに、本発明によるインタリーブ方法の主要ステップを実施した結果、第２に、本発明によるインタリーブ方法を用いてインタリーブされたインタリーブ単位に、本発明による第１のデインタリーブ方法の主要ステップと、その後のサービスフィルタリングを実施した結果、及び第３に、本発明によるインタリーブ方法を用いてインタリーブされたインタリーブ単位に、サービスフィルタリングを含む本発明による第２のデインタリーブ方法の主要ステップを実施した結果を、高度に概略的な方式で示す図である。「ｔ」と記された軸は時間を表す。
【発明を実施するための形態】
【００２４】
添付の図面は本発明を補完することばかりでなく、必要に応じてその定義の一助となることにも役立ち得る。
【００２５】
本発明の目的は、物理層のレベルにおいて長周期時間インタリーブを実施する無線通信ネットワークを介した、マルチメディアタイプコンテンツの受信機端末への送信を可能にすることである。
【００２６】
以下の説明では、限定することなく一例として、無線通信ネットワークは、衛星中継と、おそらくは地上中継も用いて、例えば、テレビ番組をモバイル電話などのモバイル（又はセルラ）受信機端末にブロードキャストすることを意図したＤＶＢ−ＳＨタイプネットワークであると見なされる。しかし、本発明はこのタイプの無線通信ネットワークに限定されない。本発明はこのタイプの受信機端末にもこのタイプのマルチメディアコンテンツにも限定されない。
【００２７】
実際のところ、本発明は物理層のレベルにおいて長周期時間インタリーブを実施し、深刻な信号フェージングを被る可能性の高い任意のタイプの無線通信ネットワークに関し、より詳細には、ＳＤＲ（衛星デジタル無線）ネットワーク及びＤＶＢ−ＳＨタイプネットワークに関する。
【００２８】
さらに、本発明は、物理層のレベルにおいて長周期時間インタリーブを経験するマルチメディアコンテンツ無線受信機を備える全てのタイプの無線通信端末に関する。従って、本発明は、特に、電波送信ベースの通信モジュールを有するデスクトップ又はラップトップコンピュータ及び携帯情報端末（ＰＤＡ）、マルチメディアコンテンツプレーヤを備えることが可能なサーバ、並びに無線ブロードキャストネットワークに接続でき、ブロードキャストされたマルチメディアコンテンツをマルチメディアコンテンツプレーヤ又は記憶手段に供給することを意図した他の任意のタイプのマルチメディアコンテンツ受信機に関する。
【００２９】
最後に、本発明は同一タイプのデータの組からなる任意のタイプのマルチメディアコンテンツに関し、より詳細には、ラジオ番組、データファイル、及びビデオに関する。
【００３０】
図１は、ＩＰカプセル化機器ＥＥ、送信端末ＴＴ、及びブロードキャストネットワーク（図示されず、このケースではＤＶＢ−ＳＨタイプ）を介した、マルチメディアコンテンツサーバＳＣと、マルチメディアコンテンツ受信機ＲＣを備える（又はとして具現される）受信機端末ＴＲとの間の、マルチメディアコンテンツの送信（ブロードキャスト）チェーンを示している。
【００３１】
ここで再確認しておくと、マルチメディアコンテンツサーバ（又はビデオエンコーダ）ＳＣは、出力においてＩＰカプセル化機器ＥＥに宛てたＩＰパケットの連続フローを送り出すために、マルチメディアコンテンツをデータセットに変換する役割を担い、例えば、そのようなコンテンツはコンテンツデータベースＢＣから発生し、その後、そのようなデータセットはＩＰパケットに組み込まれる。
【００３２】
ＩＰカプセル化機器（又は「ＩＰカプセル化器（ＩＰ  Ｅｎｃａｐｓｕｌａｔｏｒ）」を略したＩＰＥ）ＥＥは、使用するブロードキャストネットワークによって利用される伝送モードに従って、受け取ったＩＰパケットをバーストにカプセル化する役割を担う。伝送モードは、例えば、ＴＤＭＡ（時分割多元接続−時分割多重化）モードとすることができる。
【００３３】
本明細書の文脈では、「バースト」とは、例えばＭＰＥＧフォーマットをとるパケットの組のことであり、１つ以上サービスを構成し、１つ以上のマルチメディアコンテンツ（このケースではＴＶ番組）の一部を定義する。
【００３４】
バースト（この例ではＴＤＭＡ）は、（処理の後）受信機端末ＴＲにブロードキャストするために、ＩＰカプセル化機器ＥＥによってブロードキャストネットワークの送信端末ＴＴに伝達される。異なるサービスに関連するバーストのサイズは、全ての時間にわたって必ずしも一定である必要はない。他方、それぞれ異なるサービスに関連するバーストは、図４の第１のライン（Ｌ１）に示されるように、期間ＰＴの周期的フレームＴＥ内に配列され、このケースではサービスは９つである。
【００３５】
送信端末ＴＴは通常、符号化モジュールＭＥ、時間インタリーバＥＲ、及び変調器ＭＲを少なくとも備える。
【００３６】
符号化モジュールＭＥは、図４の第２のライン（Ｌ２）に示されるように、ＦＥＣタイプ（冗長性の挿入）と、（おそらくは）ＭＰＥ−ＦＥＣタイプの誤り訂正符号化方式を、（当業者によって一般にインタリーブ単位又はＩＵと呼ばれる）バースト成分に適用して、それらが属するバーストに従って常にグループ化されるインタリーブ単位を送り出す役割を担う。
【００３７】
本発明によれば、時間インタリーバＥＲは（周期的フレームＴＥ内にグループ化された選択された数のサービスを表す）インタリーブ単位を受け取り、また時間インタリーバＥＲは、それぞれの持続時間ＤＧｉが一定の選択された整数番号Ｇｉをもつサービスのグループに、各ＴＥフレームを最初に分解する役割を担う処理モジュールＭＴ１を備える。
【００３８】
セグメント化を実施するのは最終的には変調器であるとしても、セグメント化はカプセル化器によって変調器に通知することができ／通知されなければならず、同じく、カプセル化器はサービスの概要を知っているが、一般にはるかに低いレベルで動作する変調器の場合はそうはいかないことを指摘しておくことは重要である。
【００３９】
グループの数Ｇｉは、１からフレームＴＥ内のサービス（又はバースト）の数Ｎまでの間に含まれることを指摘しておくことは重要である。言い換えると、インデックスｉは１からＮまでの間に含まれる。従って、グループ内のサービス（又はバースト）の数は１からＮまでの間に含まれ得る。図３には、処理モジュールＭＴ１が、期間ＰＴの各周期的フレームＴＥを３つのグループＧ１からＧ３（ｉ＝１から３）に分解する一例が示されており、第１のグループＧ１は番号１及び２の２つのサービスを備え、第２のグループＧ２は番号３から５の３つのサービスを備え、第３のグループＧ３は番号６から９の４つのサービスを備える。
【００４０】
図３から見て取れるように、限定することなく例を挙げると、グループＧｉの時間持続ＤＧｉは１つのフレームＴＥでも別のフレームＴＥでも一定である。言い換えると、フレームＴＥ内のグループＧｉを構成するサービスの時間持続の合計は、１つのフレームＴＥでも別のフレームＴＥでも一定であるが、グループＧｉを構成するサービスのそれぞれの時間持続は、１つのフレームＴＥと別のフレームとで変化することができる。そのような時間持続は再構成によって潜在的に変化し得ることに留意されたい。
【００４１】
好ましくは、各グループＧｉのインタリーブ単位は、それぞれの持続時間ＤＩｉがフレームＴＥの期間ＰＴと比較して小さい拡散時間間隔ＩＴｉ内に分散されることに留意されたい。言い換えると、１つの拡散時間間隔ＩＴｉ（例えばＩＴ１）の終了を次の時間拡散間隔ＩＴｉの開始から分離し、期間ＰＴ内に含まれる他の拡散時間間隔ＩＴｉ’の持続時間ＤＩｉ’（ｉ’≠ｉ）の合計に等しい持続時間ＤＩは、時間拡散間隔ＩＴｉの持続時間ＤＩ１と比較して好ましくは小さい。
【００４２】
本発明の理解を容易にするため、時間拡散間隔ＩＴ１の持続時間ＤＩ１は意図的に膨らませてあり、従って、示されるように持続時間ＤＩと比較して不均衡であることにも留意されたい。
【００４３】
処理モジュールＭＴ１は、サービス層と物理層で同期がとれていることを保証するために、ＩＰカプセル化機器ＥＥと完全に同期がとれていなければならないことにさらに留意されたい。同期は好ましくは、シグナリングを介して送信される同期情報を用いて保証される（しかし変形として、処理モジュールＭＴ１は、自らのデバイスによって構成を発見することができる）。実際のところ、主要な問題は、あるＴＥフレームの部分の到着を通知して、それらのＴＥフレームの部分に対してインタリーバＥＲが同期をとれるようにすることである。
【００４４】
フレームＴＥのグループＧｉが形成されると、処理モジュールＭＴ１は各グループＧｉのインタリーブ単位を（拡散時間間隔と呼ばれる）時間間隔ＩＴｉ内に分散させ（又はインタリーブし）そのそれぞれの持続時間ＤＩｉは一定でありフレームＴＥの期間ＰＴに等しい周期ＰＩに従って時間インタリーブ期間ＰＥ内に周期的に配置される。言い換えると、各周期的フレームＴＥが、それぞれの持続時間ＤＧｉが一定の３つのグループＧ１からＧ３に分解され、時間インタリーブの期間ＰＥがＭ×ＰＴである場合、第１のグループＧ１のインタリーブ単位は一定の持続時間ＤＩ１を有するＭ個の時間拡散間隔ＩＴ１にわたって分散され、（ＰＴに等しい）周期ＰＩによって周期的に間隔がとられ、第２のグループＧ２のインタリーブ単位は一定の持続時間ＤＩ２を有するＭ個の時間拡散間隔ＩＴ２にわたって分散され、（ＰＴに等しい）周期ＰＩによって周期的に間隔がとられ、第３のグループＧ３のインタリーブ単位は一定の持続時間ＤＩ３を有するＭ個の時間拡散間隔ＩＴ３にわたって分散され、（ＰＴに等しい）周期ＰＩによって周期的に間隔がとられる。
【００４５】
図４の第３のライン（Ｌ３）は、限定することなく一例として、一定の持続時間ＤＩ１を有し、時間インタリーブ期間ＰＥ内で（ＰＴに等しい）周期ＰＩによって周期的に間隔がとられたＭ＝３個の拡散時間間隔ＩＴ１内の、フレームＴＥの（サービス１及び２からなる）第１のグループＧ１のインタリーブ単位の分散を示している。
【００４６】
当業者に知られた任意の決定的インタリーブ技法、より具体的には、「畳み込みインタリーブ（ｃｏｎｖｏｌｕｔｉｖｅ  ｉｎｔｅｒｌｅａｖｉｎｇ）」及び「ブロックインタリーブ（ｂｌｏｃｋ  ｉｎｔｅｒｌｅａｖｉｎｇ）」として知られる技法を使用することができる。
【００４７】
処理モジュールＭＴ１が時間インタリーブ期間ＰＥ内のフレームＴＥのインタリーブ単位を分散させると（又はインタリーブすると）、そのフレームＴＥについてのインタリーブプロセスＰ１（その結果は図４の最初の３つのライン（Ｌ１からＬ３）に概略的に示されている）が完了する。処理モジュールＭＴ１は、インタリーブを施されたインタリーブ単位が電波によって受信機端末ＴＲ（又はＴＲ’）に送信（ブロードキャスト）される前に、例えばＱＰＳＫ又は１６ＱＡＭなどの選択された変調が適用されるように、インタリーブを施されたインタリーブ単位を変調器ＭＲに伝達する。
【００４８】
本発明によるインタリーバＥＲは、電子回路、ソフトウェア（若しくはコンピューティング）モジュール、又は回路とソフトウェアの組み合わせの形態で実装できることに留意されたい。
【００４９】
図１及び図２の２つの実施形態に示されるように、受信機端末ＴＲ（又はＴＲ’）は、コンテンツプレーヤＬＣ、又はさもなければメモリ手段（図示されず）、例えばハードディスク若しくはデータベースに供給され得るコンテンツの受信機ＲＣ（又はＲＣ’）を備える。
【００５０】
コンテンツ受信機ＲＣは、第１に、送信端末ＴＴの変調器ＭＲによって使用される変調技法に従って変調されたインタリーブを施されたインタリーブ単位を復調する役割を担う復調器ＤＭを備える。復調器ＤＲからの出力は本発明によるサービス選択デバイスＤＳ（又はＤＳ’）の入力に供給される。
【００５１】
サービス選択デバイスＤＳ（又はＤＳ’）は、インタリーブ単位をインタリーブするのに使用されるインタリーバＥＲのクロックと同期がとられた少なくとも１つの処理モジュールＭＴ２（又はＭＴ２’）を備える。
【００５２】
同期は、好ましくは時間インタリーブを施された、シグナリングを用いて送信される同期（又はサービス所在位置）情報を用いて保証される。同期情報は、時間インタリーブ期間ＰＥの持続時間、フレームＴＥの持続時間、拡散時間間隔ＩＴｉのそれぞれの持続時間ＤＩｉ、及び次の期間ＰＥのインタリーブを施された第１のインタリーブ単位の開始を少なくとも規定するので、従って、処理モジュールＭＴ２は次の期間ＰＥの開始時に容易に同期をとることができ、次の期間ＰＥの開始と比較して、（この次の期間ＰＥ内に含まれる）選択グループＧｉの第１の拡散時間間隔ＩＴｉの開始を決定することができる。
【００５３】
処理モジュールＭＴ２（又はＭＴ２’）は、サービスのグループＧｉが少なくとも部分的に保存又は使用されるためにローカルに選択される場合、少なくとも選択グループＧｉの各拡散時間間隔ＩＴｉの持続時間ＤＩｉの間、従って（インタリーブ前の）初期フレームＴＥの期間ＰＴに等しい周期に従って周期的に起動する（「ＯＮモード」）役割を担う。これはバッテリの節約を可能にする。
【００５４】
言い換えると、処理モジュールＭＴ２（又はＭＴ２’）は、選択グループＧｉの各拡散時間間隔ＩＴｉ内に含まれるインタリーブを施されたインタリーブ単位のみを収集するために専ら周期的に起動（活動化）される。継続的動作では、復号器は先に保存されたインタリーブ単位にも基づいて動作することに留意されたい。従って、各時間インタリーブ期間ＰＥにおいて、復号器は、前記期間ＰＥ内に含まれる選択グループＧｉの拡散時間間隔ＩＴｉ内に含まれるインタリーブを施された全てのインタリーブ単位を収集する。
【００５５】
これは、デインタリーブできるように、各時間インタリーブ期間ＰＥの間に処理モジュールＭＴ２（又はＭＴ２’）によって収集する必要があるインタリーブ単位の数を非常に著しく減少させるので、特に有利である。
【００５６】
サービスの選択グループが（拡散時間間隔ＩＴ１に合致する）Ｇ１である場合の処理モジュールＭＴ２の動作フェーズが、図４の第４のライン（Ｌ４）及び第７のライン（Ｌ７）の斜線の長方形を用いて概略的に示されている。このケースでは、動作期間は各拡散時間間隔ＩＴ１の持続期間ＤＧ１と実質的に同じである。しかし、先に指摘されたように、この動作期間は各拡散時間間隔ＩＴ１の開始よりも僅かに早く開始し、及び／又は各拡散時間間隔ＩＴ１の終了よりも僅かに遅く終了することによって、より長くなることができる。
【００５７】
選択グループＧｉの各拡散時間間隔ＩＴｉ内の、処理モジュールＭＴ２（又はＭＴ２’）によって収集されるインタリーブを施されたインタリーブ単位は一般に、選択グループＧｉのサービスにのみ属するとは限らないことが、図４の第５のライン（Ｌ５）を参照することによって容易に理解される。実際のところ、それらは、他のグループＧｉ’（ｉ’≠ｉ）のサービスに属するインタリーブ単位と共にインタリーブされている。従って、デバイスＤＳ（又はＤＳ’）について、２つの異なる実施形態を予見することができる。
【００５８】
図１に示される第１の実施形態では、デバイスＤＳは、例えば、メモリＭＹを備え、デバイスＤＳの処理モジュールＭＴ２は、各時間インタリーブ期間ＰＥの間、進行中の時間インタリーブ期間ＰＥ内に含まれる選択グループＧｉの拡散時間間隔ＩＴｉ内に含まれるインタリーブを施された全てのインタリーブ単位を、フィルタリングを施さずにメモリＭＹ内に保存し、これは、従来技術のコンテンツ受信機で必要な記憶容量と比較して、メモリＭＹの記憶容量を著しく低減することをすでに可能にする。
【００５９】
各時間インタリーブ期間ＰＥの終了時に、デインタリーバＤＲは、経過した期間ＰＥの間に収集及び保存された、インタリーブを施されたインタリーブ単位をメモリＭＹから抽出し（又は受け取り）、それらのデインタリーブに着手する。ここで使用されるデインタリーブ技法は、インタリーバＥＲにおけるインタリーブのために使用された技法を逆転させたものである。それは、例えば、畳み込み技法又はブロック技法である。
【００６０】
その後、（デインタリーブを施された）インタリーブ単位は、符号化モジュールＭＥによって使用された誤り訂正技法を逆転させた技法をインタリーブ単位に適用する役割を担う復号モジュールＭＤに供給される。誤り訂正技法は、例えば、ＦＥＣタイプと、追加的に（おそらくは）ＭＰＥ−ＦＥＣタイプである。
【００６１】
その後、デインタリーブ及び復号を施されたインタリーブ単位は、選択グループＧｉのサービスを定義するインタリーブ単位のみを選択し、従って、時間インタリーブ期間ＰＥ内に含まれるＭ個のフレームＴＥ内に最初に含まれていたバースト（又はサービス）を再構成する役割を担うフィルタリングモジュールＭＦに供給される。図４の第６のライン（Ｌ６）は、時間インタリーブ期間ＰＥに対応する３つのフレーム内に最初に含まれていた、サービスの第１のグループＧ１の２つのバースト（又はサービス１及び２）を概略的に示している。
【００６２】
図４の第４のライン（Ｌ４）から第６のライン（Ｌ６）が、図１に示されるタイプのコンテンツ受信機ＲＣによって実施される、インタリーブを施されたインタリーブ単位に対する第１のデインタリーブプロセスＰ２の適用の結果を具体的に示していることに留意されたい。
【００６３】
選択グループＧｉのバースト（又はサービス）が再構成されると、次にそれらは、保存すること、又は図１に示されるコンテンツプレーヤＬＣによって使用する（読み取る）ことができるが、それに限定されない。
【００６４】
図２に示される第２の実施形態では、デバイスＤＳ’は、例えば、処理モジュールＭＴ２’の出力側にフィルタリングモジュールＭＦ’を備える。従って、前記フィルタリングモジュールＭＦ’は、処理モジュールＭＴ２’によって収集されたインタリーブを施されたインタリーブ単位の中から、選択グループＧｉのサービスを表すインタリーブ単位を保持する役割を担う。
【００６５】
そのようなフィルタリングを実施するため、フィルタリングモジュールＭＦ’は、将来のフレームＴＥについての、実施される決定的インタリーブのタイプに関する情報を所有しなければならない。そのような情報は、好ましくは、同期情報のような、シグナリング内に含まれる。例えば、サービスの選択グループＧｉの第１のインタリーブ単位の開始が、フィルタリングモジュールＭＦ’に通知される場合、使用される決定的インタリーブ機能についての知識のおかげで、サービスの前記選択グループＧｉの他のインタリーブ単位の時間位置を決定することができる。
【００６６】
そのようなフィルタリングを用いて、フィルタリングモジュールＭＦ’は、処理モジュールＭＴ２’によって収集されたインタリーブを施されたインタリーブ単位のうち、選択グループＧｉの各拡散時間間隔ＩＴｉ内にあるものだけを、その出力から送り出す。図４の第８のライン（Ｌ８）は、時間インタリーブ期間ＰＥ内に含まれる選択された第１のグループＧ１に関連する各拡散時間間隔ＩＴ１内の、フィルタリングモジュールＭＦ’によってフィルタリングされたインタリーブを施されたインタリーブ単位を示している。
【００６７】
時間インタリーブ期間ＰＥ内に含まれるフィルタリングされたインタリーブを施されたインタリーブ単位は、それらがフィルタリングされたときにメモリＭＹ’内に保存される。従って、時間インタリーブ期間ＰＥの間に保存されるインタリーブ単位の数は非常に著しく減少し、メモリＭＹ’の記憶容量のより一層の低減を可能にする。
【００６８】
各時間インタリーブ期間ＰＥの終了時に、デインタリーバＤＲ’は、経過した期間ＰＥの間に収集、フィルタリング、及び保存された、フィルタリングされたインタリーブを施されたインタリーブ単位をメモリＭＹ’から抽出し（又は受け取り）、それらのデインタリーブに着手する。ここで使用されるデインタリーブ技法は、インタリーバＥＲにおけるインタリーブのために使用された技法を逆転させたものであるが、選択グループＧｉのインタリーブ単位のみに制限され、それが技法の適用を容易にし、必要とされる計算能力の引き下げを可能にする。
【００６９】
その後、（フィルタリング及びデインタリーブを施された）インタリーブ単位は、符号化モジュールＭＥによって使用された誤り訂正技法を逆転させた技法をインタリーブ単位に適用する役割を担う復号モジュールＭＤ’に供給される。誤り訂正技法は、例えば、ＦＥＣタイプと、追加的に（おそらくは）ＭＰＥ−ＦＥＣタイプである。
【００７０】
その後、復号モジュールＭＤ’は、フィルタリング、復号、及びデインタリーブを施されたインタリーブ単位を用いて、時間インタリーブ期間ＰＥ内に含まれるＭ個のフレームＴＥ内に最初に含まれていたバースト（又はサービス）を再構成する。
【００７１】
図４の第９のライン（Ｌ９）は、時間インタリーブ期間ＰＥの３つ（Ｍ＝３）のフレームＴＥ内に最初に含まれていた、サービスの第１のグループＧ１の２つのバースト（又はサービス１及び２）を概略的に示している。
【００７２】
図４の第７のライン（Ｌ７）から第９のライン（Ｌ９）が、図２に示されるタイプのコンテンツ受信機ＲＣ’によって実施される、インタリーブを施されたインタリーブ単位に対する第２のデインタリーブプロセスＰ２’の適用の結果を具体的に示していることに留意されたい。
【００７３】
選択グループＧｉのバースト（又はサービス）が再構成されると、次にそれらは、保存すること、又は図１に示されるコンテンツプレーヤＬＣによって使用する（読み取る）ことができるが、それに限定されない。
【００７４】
同期データ、及び将来のフレームＴＥにおいて実施される決定的タイプのインタリーブに関する潜在的な情報は、例えば、ＴＤＭモードでの動作の場合であれば当業者がフレームヘッダＳＦ（又は「シグナリングフィールド」）と呼ぶもので、若しくはＯＦＤＭモードでの動作の場合であればＴＰＳ内のスーパフレームを指定する番号（「スーパフレーム番号」）で、又はさもなければＳＨＩＰ（「ＳＨフレーム初期化パケット（ＳＨ  ｆｒａｍｅ  Ｉｎｉｔｉａｌｉｚａｔｉｏｎ  Ｐａｃｋｅｔ）」）で送信できることに留意されたい。
【００７５】
本発明によるサービス選択デバイスＤＳ及びＤＳ’は、電子回路、ソフトウェア（若しくはコンピューティング）モジュール、又は回路とソフトウェアの組み合わせとして実装することができる。
【００７６】
本発明は、例としてのみ与えられた、上で説明されたインタリーバ、サービス選択デバイス、インタリーブ方法、及びデインタリーブ方法の実施形態に限定されず、むしろ、以下で説明される特許請求の範囲の枠組みの中で当業者が思い付き得る全ての変形を包含する。
【図１】
2011501598.tif 000003
【図２】
2011501598.tif 000004
2011501598.tif 000005
2011501598.tif 000006
【図３】
2011501598.tif 000007
【図４】
2011501598.tif 000008
【国際調査報告】
2011501598.tif 000009
2011501598.tif 000010
2011501598.tif 000011
2011501598.tif 000012